(57)【要約】【課題】簡単な機構で種子詰まりを防止できる播種機を提供する。【解決手段】本発明による播種機は、側面に切り欠き部が設けられた目皿板と、切り欠き部の底部と側部をふさぎつつ目皿板をスライド可能に支持する台座とが備えられ、切り欠き部と台座が形成する空間に種子を侵入させ、次に切り欠き部の空間に種子を抱えたまま、目皿板を切り欠き部の底部と側部が開放される台座の位置までスライドさせて、切り欠き部が抱えた所定量の種子が落下するように構成した。【選択図】図１
2006288285.tif 000002
【特許請求の範囲】
【請求項１】
側面に切り欠き部が設けられた目皿板と、
前記切り欠き部の底部と側部をふさぎつつ前記目皿板をスライド可能に支持する台座とが備えられ、
前記切り欠き部と前記台座が形成する空間に種子を侵入させ、次に前記切り欠き部の空間に種子を抱えたまま、前記目皿板を前記切り欠き部の底部と側部が開放される前記台座の位置までスライドさせて、前記切り欠き部が抱えた所定量の種子が落下するように構成したことを特徴とする播種機。
【発明の詳細な説明】
【技術分野】
【０００１】
本発明は播種機に係り、より詳しくは種子詰まりを防止する機構に関する。
【背景技術】
【０００２】
農作業の省力化を目的として、種子の発芽率の向上に伴い、限定粒数の点播きができる播種機の発達が望まれ、各種の装置が開発されている。（特許文献１参照）
【０００３】
図６は、従来の目皿板が用いられた播種機の構造図である。播種機１００は矩形板の目皿板２０が台座３０にスライド可能に取り付けられ、目皿板２０の前方には、種子が種子ホッパ１０から投入される通孔２５が設けられ、台座３０の後方には、種子の落下口３１が設けられる。通孔２５の底部は、目皿板２０が台座３０の前方に位置するときは、台座３０でふさがれている。通孔２５に種子が投入された状態で、目皿板２０が後方にスライドされると、仕切り板３５で通孔２５からあふれた種子が停止され、通孔２５の中に入った種子のみが運ばれ、通孔２５が落下口３１に合致すると、種子が下方に落下するものである。
【０００４】
図６の引出円Ｃ１は、従来の播種機１００の通孔２５に球状の種子１が詰まった状態を示す斜視図である。例えば、目皿板２０の通孔２５の径が５ｍｍの場合で、種子１が２〜３ｍｍとすると、通孔２５が３粒の種子１で詰まることがある。すなわち、３つの種子が通孔２５の側部でささえられブリッジ状態となって落下しなくなる。このような場合、播種機を取り外して分解し通孔２５に詰まった種子１を取り除く必要があり、種蒔き作業を一時中断せざるを得なかった。
【０００５】
種子詰まりを解消するため、種子１が落下する直前に通孔２５に棒状のものを差し込んで下方に押圧する機構や、エアーを通孔２５内に吹き付ける機構を付加することが考えられるが、播種機１００が複雑になることは否めない。
【特許文献１】特開２００１−６９８１４号公報
【発明の開示】
【発明が解決しようとする課題】
【０００６】
本発明は上記問題点を解決するためになされたもので、その目的は、簡単な機構で種子詰まりを防止できる播種機を提供することにある。
【課題を解決するための手段】
【０００７】
本発明による播種機は、側面に切り欠き部が設けられた目皿板と、前記切り欠き部の底部と側部をふさぎつつ前記目皿板をスライド可能に支持する台座とが備えられ、前記切り欠き部と前記台座が形成する空間に種子を侵入させ、次に前記切り欠き部の空間に種子を抱えたまま、前記目皿板を前記切り欠き部の底部と側部が開放される前記台座の位置までスライドさせて、前記切り欠き部が抱えた所定量の種子が落下するように構成したことを特徴とする。
【発明の効果】
【０００８】
本発明による請求項１による播種機によれば、切り欠き部の底部と側部の囲いが無いので、種子によるブリッジ形成がなく、時間差なく、目詰まりなく、すみやかに種子を落下させることができる。また、１粒から数粒の限定された数の正確な種子量、正確な点播き位置を維持した高速連続播種作業が可能になる。また、この目詰まりのない播種機は、変形種子、コーティング種子も有効に扱うことができる。正確な播種は、芽が出た後の間引き作業を不要とする。以上のことがらにより農作業の省力化に貢献できる。
【発明を実施するための最良の形態】
【０００９】
本発明の実施例を図面によって詳細に説明する。なお、図６に示す播種機１００と共通の構成要素は同じ符号を使用する。
【実施例１】
【００１０】
図１は本発明による第１の実施例で、播種機の斜視図である。図１に示すように、播種機２００は、矩形板の目皿板２０が台座３０にスライド可能に取り付けられたものである。目皿板２０には側面に切り欠き部４５が設けられる。切り欠き部４５は、スライド方向６０に並行な目皿板２０の側面に設けられる。また、切り欠き部４５が種子ホッパ１０の下部にある時は、切り欠き部４５の底部は台座３０でふさがれ、切り欠き部４５の側面は台座３０の側面でふさがれている。切り欠き部４５に種子が侵入して、次に目皿板２０が後方にスライドされると、切り欠き部４５は、台座３０に設けられた落下口３１に達する。同時に切り欠き部受け５５に達する。これにより、切り欠き部４５の底部と側部が開放されるので種子が下方に落下する。目皿板２０が前方に戻されると、切り欠き部４５が種子ホッパ１０の下部に位置して、再び種子が投入される状態となる。
【００１１】
図２は、目皿板の斜視図である。図２（ａ）に示す状態は、目皿板２０の切り欠き部４５に種子が投入される状態を示す。図２（ｂ）に示す状態は、目皿板２０が、後方にスライドされて、種子が下方に落ちる状態を示す。すなわち、種子を落下させるには、切り欠き部４５の底部と側部が、閉じられた状態から開放された状態にすればよく、このために落下口３１や切り欠き部受け５５が設けられてもよいし、図２のように何もない空間に切り欠き部４５を位置させてもよい。
【００１２】
図３は、切り欠き部の形状を示す平面図である。図３（ａ）は切り欠き部が半円形の場合、図３（ｂ）は切り欠き部が三角形の場合、図３（ｃ）は切り欠き部が四角形の場合、図３（ｄ）は切り欠き部が台形の場合である。このような切り欠き部４５の形状は、目皿板の厚さの大小などと合わせて、切り種子の量や大きさによって選定する。
【実施例２】
【００１３】
図４は本発明による第２の実施例で、円板の目皿板が用いられた播種機の斜視図である。図５に示すように、播種機３００は、回転可能な円板の目皿板４０と、目皿板４０の底部と側部を囲むように設けられた台座３０からなる。目皿板４０には外周面に切り欠き部４５が設けられる。台座３０の目皿板４０の側面には、切り欠き部４５と面することができる切り欠き部受け５５が設けられる。切り欠き部受け５５は、台座３０の落下口３１の上部に位置するように設けられる。この播種機３００の特徴は、目皿板４０が回転することで、その他の動作は播種機２００と同じである。図５に示すように、目皿板４０の円板の外周には、１つに限らず、複数の切り欠き部４５を設けてもよい。
【実施例３】
【００１４】
図５は、本発明による第３の実施例で、回転ベルト式目皿板の播種機の斜視図である。回転ベルト式の目皿板５０は、ゴムやプラスチックなどで形成されるが、両側の側面に切り欠き部４５を設けた。すなわち、一度に２条の種播きができるように構成した。種子は、回転ベルトの目皿板５０が前方と後方の側面から斜め下方にパイプ３６でガイドして落下させる。
【産業上の利用可能性】
【００１５】
本発明は、種子詰まりを防止した播種機であり、複合農作業機などに限らず、手動のハンディタイプの播種機としても好適である。
【図面の簡単な説明】
【００１６】
【図１】本発明による播種機の斜視図である。（実施例１）
【図２】目皿板の斜視図である。（実施例１）
【図３】切り欠き部の形状を示す平面図である。（ａ）は半円形、（ｂ）は三角形、（ｃ）は四角形、（ｄ）は台形の切り欠き部の例である。（実施例１）
【図４】円板の目皿板が用いられた播種機の斜視図である。（実施例２）
【図５】回転ベルト式目皿板の播種機の斜視図である。（実施例３）
【図６】従来の播種機の斜視図である。
【符号の説明】
【００１７】
１    種子
１０    種子ホッパ
１１    傾斜板
２０    目皿板（矩形板）
２５    通孔
３０    台座
３１    落下口
３５    仕切り板
３６    パイプ
４０    目皿板（円板）
４５    切り欠き部
４６    上部開口部
４７    底部開口部
５０    目皿板（回転ベルト）
５５    切り欠き部受け
６０    スライド方向
１００、２００、３００、４００    播種機
【図１】
2006288285.tif 000003
【図２】
2006288285.tif 000004
【図３】
2006288285.tif 000005
【図４】
2006288285.tif 000006
【図５】
2006288285.tif 000007
【図６】
2006288285.tif 000008
【手続補正書】
【提出日】平成17年4月11日(2005.4.11)
【手続補正１】
【補正対象書類名】図面
【補正対象項目名】図２
【補正方法】変更
【補正の内容】
【図２】
2006288285.tif 000009
【手続補正２】
【補正対象書類名】図面
【補正対象項目名】図３
【補正方法】変更
【補正の内容】
【図３】
2006288285.tif 000010